(57)【要約】      （修正有）【課題】暗い場所であっても識別しやすくかつ防炎性の高い非常持出袋を提供する。【解決手段】非常持出品を収納するべく上面側に開閉自在な開口１３を有する袋部１０と、前記袋部の上端と左右の下端との間に架け渡された一対の肩掛け紐１４とを備えた非常持出袋１であって、前記袋部が、可撓性のある防炎性平面材の少なくとも片面に蛍光塗料を塗布した生地を、該蛍光塗料の塗布面を表側の面として成形してなる。肩掛け紐の少なくとも一部がさらに、前記生地を成形してなる。防炎性平面材は、防炎剤を含む合成樹脂エマルジョンを含浸させたポリエステル織物の両面に合成樹脂フィルムを積層した防炎性ターポリンである。非常持出袋に非常持出品を収納して非常持出袋セットとする。【選択図】図１
0003147682.tif 000002
【実用新案登録請求の範囲】
【請求項１】
非常持出品(4)を収納するべく上面側に開閉自在な開口(13)を有する袋部(10)と、前記袋部の上端と左右の下端との間に架け渡された一対の肩掛け紐(14)とを備えた非常持出袋(1)であって、前記袋部が、表側となる面に蛍光塗料を塗布された防炎性生地を成形してなることを特徴とする非常持出袋。
【請求項２】
前記肩掛け紐の少なくとも一部が、前記防炎性生地を成形してなることを特徴とする請求項１に記載の非常持出袋。
【請求項３】
前記防炎性生地は、防炎剤を含浸させたポリエステル織物の両面に合成樹脂フィルムを積層した、防炎性をもつターポリンであることを特徴とする請求項１または２に記載の非常持出袋。
【請求項４】
請求項１〜３のいずれかに記載の非常持出袋と、前記袋部の中に収納された非常持出品とからなる非常持出袋セット。
【考案の詳細な説明】
【技術分野】
【０００１】
本考案は、緊急災害の際の避難時に持ち出す非常持出袋に関する。
【背景技術】
【０００２】
従来、地震等の緊急災害の際の避難時に持ち出す非常持出袋が知られている。非常持出袋には、避難時に最低限必要な非常持出品が収納されている。特許文献１〜３には、非常持出袋に対して、防災頭巾、寝具あるいは枕等の機能を兼用させたものが開示されている。
【０００３】
また、特許文献４には、暗い場所でも非常持出袋を見つけやすいように、「非常持出袋」の文字を蛍光材料で付着したリュックサックが開示されている。
【特許文献１】特開２０００−６０６３８号公報
【特許文献２】特開２００６−２３８９８５号公報
【特許文献３】特開２００７−１８１５０６号公報
【特許文献４】登録実用新案第３０２２４０２号公報
【考案の開示】
【考案が解決しようとする課題】
【０００４】
しかしながら、特許文献４のように非常持出袋の文字のみが蛍光材料で記載されていても、リュックサックが転倒していたり後向きになっていると見つからないおそれがある。また、火災発生時に避難する際には、防炎性の高い非常持出袋であることが望ましい。地震時にも火災は発生しやすいため、防炎性は重要である。
【０００５】
以上の問題点に鑑み、本考案は、夜間や停電等の際に、暗い場所であっても識別しやすくかつ防炎性の高い非常持出袋を提供することを目的とする。
【課題を解決するための手段】
【０００６】
上記の目的を達成するべく、本考案は、以下の構成を提供する。括弧内の数字は、後述する図面中の符号である。
本考案の第１の態様は、非常持出品(4)を収納するべく上面側に開閉自在な開口(13)を有する袋部(10)と、前記袋部の上端と左右の下端との間に架け渡された一対の肩掛け紐(14)とを備えた非常持出袋(1)であって、前記袋部が、表側となる面に蛍光塗料を塗布された防炎性生地を成形してなることを特徴とする。
上記において、前記肩掛け紐の少なくとも一部も、前記防炎性生地を成形してなることが好適である。
上記において、前記防炎性生地は、防炎剤を含浸させたポリエステル織物の両面に合成樹脂フィルムを積層した、防炎性をもつターポリンであることが好適である。
本考案の第２の態様は、上記の非常持出袋と、前記袋部の中に収納された非常持出品とからなる非常持出袋セットである。
【考案の効果】
【０００７】
本考案による非常持出袋は、表側の面に蛍光塗料が塗布された袋部を備えているため、暗い場所であってもその位置を容易に識別することができる。また、袋部全体から蛍光を発するため、非常持出袋が転倒していたり、どのような姿勢であっても識別することができる。
非常持出袋を背中に負うときには、先ず肩掛け紐を掴んで持ち上げることが多いため、肩掛け紐の少なくとも一部からも蛍光を発するようにすると、非常に持ち上げやすくなる。
さらに、防炎性生地を成形してなる袋部は、延焼し難いため、火災発生時の避難において安全性が高い。また、収納された非常持出品を保護することにもなる。
防炎生地として、防炎剤を含むターポリンを用いることにより、防炎性のみでなく、高い強度と、雨水などに対する防水性も確保できる。
【考案を実施するための最良の形態】
【０００８】
以下、実施例を示した図面を参照しつつ本考案の実施の形態を説明する。
図１は、本考案による非常持出袋の一実施例の外観斜視図である。点線は、背面側の形状の概要を示している。非常持出袋１は、いわゆるリュックサック、ナップザック、バックパック等と称される背負い型バッグの基本形態を備えている。図１の形態は一例であり、デザイン上のバリエーションは極めて豊富であるが、いずれにおいても本考案を適用できる。非常持出袋１の使用時には、袋部１０の内部に、種々の非常持出品が収納されている。
【０００９】
袋部１０は、略平面的に拡がる前面部１１と背面部１６と、これらの周縁を連結してマチを形成する側面部１２とを有する。側面部１２の上面側には開口１３が形成され、開閉自在のファスナーが取り付けられている。
前面部１１には、任意のポケット１１ａが設けられ、「非常持出袋」という文字１１ｂが印刷されている。その他に適宜の文字や図形を印刷してもよいが、後述するように袋部１０の表側の面全体には蛍光塗料が施されているので、印刷部分が蛍光部分を覆いすぎない程度とする。
背面部１６の上端と左右の下端との間に一対の肩掛け紐１４が架け渡されている。図示の例では、肩掛け紐１４の上半部１４ａは、パッド入りの肉厚幅広の部材であり、下半部１４ｂは、肉薄で幅の狭い部材である。
背面部１６の上端には、持ち手１５も取り付けられている。
【００１０】
袋部１０は、可撓性のある防炎性生地を所定のパーツの型に合わせて切り取り、それらのパーツを縫製することにより成形される。防炎性生地は、少なくとも表側となる面に蛍光塗料を塗布されている。
【００１１】
この防炎性生地は、好適には、防炎剤を含浸させたポリエステル織物の両面に合成樹脂フィルムを積層した防炎性ターポリンである。ポリエステル織物に対して防炎剤を含浸させるには、例えば、防炎剤を合成樹脂エマルジョンに添加し、防炎剤を含む合成樹脂エマルジョンをポリエステル織物に含浸させる。防炎剤としては、ハロゲン系化合物  リン系化合物  無機系化合物等があり、公知である。合成樹脂エマルジョンに用いる合成樹脂としては、ウレタン樹脂、アクリル酸エステル、メタクリル酸エステル、塩化ビニル等があるが、難燃性に優れた塩化ビニルが好適である。
【００１２】
公知のターポリンは、ポリエステル織物の両面に合成樹脂フィルムを積層した複合シートである。高強度で、耐候性、耐水性及び防水性に優れているため、テント、担架、建築工事用シート等として広く用いられている。本考案で用いるターポリンは、ポリエステル織物に対して防炎剤を添加することにより、防炎性を付与している。ポリエステル織物の両面に積層する合成樹脂フィルムとしては、ポリオレフィン系樹脂、軟質ポリ塩化ビニル樹脂等のフィルムがある。
【００１３】
図１の実施例では、肩掛け紐１４の一部である上半部１４ａも、蛍光塗料付きの防炎性ターポリンを用いて成形されている。別の実施例として、肩掛け紐１４の全体に、蛍光塗料付きの防炎性ターポリンを用いてもよい。
【００１４】
図２は、図１の非常持出袋１の袋部１０内に収納する非常持出品の一例を示した図である。
図２(Ａ)は防災ヘルメット２の側面図である。ヘルメット部２ａの下端縁に、前方部分を除いて防炎布２ｂが取り付けられ、適宜の長さで垂下している。装着者は、面ファスナー２ｃにより防炎布２ｂの前方部分を閉じることにより、火炎から頚部を保護することができる。この防炎布２ｂもまた蛍光性をもつ布で形成することが好適である。また、ヘルメット部２ａの頭頂部に反射テープ２ｄを貼付している。反射テープ２ｄの位置は、後部もしくは両サイドでもよい。蛍光性の防炎布２ｂ及び反射テープ２ｄは、装着者が第三者から認識され易いようにするためである。
【００１５】
図２(Ｂ)は、その他の非常持出品であり、複数のジッパー付きビニル袋３に適宜仕分けされ収納されている。ジッパー３ａは開閉自在である。ビニル袋３は、内容物を確認し易いように透明であることが好ましい。物品としては、ラジオ付懐中電灯  ろうそく、ロープ  呼子笛、マスク等の避難用具、水、種々の保存食品、応急手当用品、衛生用品、医薬品等がある。これらの組合せは任意である。
【００１６】
使用においては、図１の非常持出袋に、図２に例示した非常持出品を収納した非常持出セットを、各家庭に常備しておく。
【図面の簡単な説明】
【００１７】
【図１】本考案による非常持出袋の一実施例の外観斜視図である。
【図２】(Ａ)(Ｂ)は、図１の非常持出袋１の袋部１０内に収納する非常持出品の一例を示した図である。
【符号の説明】
【００１８】
１  非常持出袋
１０  袋部
１１  前面部
１２  側面部
１３  開口
１４  肩掛け紐
１５  持ち手
１６  背面部
２  ヘルメット
３  ジッパー付きビニル袋
４  その他の非常持出品
【図１】
0003147682.tif 000003
【図２】
0003147682.tif 000004